(57)【特許請求の範囲】
【請求項１】
室内側の防水床の縁部に水密に着座する枠体の下枠と、前記下枠に対峙する扉体の下框との間をシールする建具のシール構造において、
前記下枠の室内側前部に取り付けられ見込み方向前方に延在する下枠アタッチメントと、前記下枠アタッチメントの前端部と前記防水床との間に介設した第１シール部材と、前記下枠アタッチメントと前記下框の室内側前部との間に介設した第２シール部材と、前記下枠の室外側後部と前記下框の室外側後部との間に介設した第３シール部材とを備え、
前記第１シール部材、前記第２シール部材および前記第３シール部材により、前記下枠アタッチメントの下側から前記下框の下側に亘って、単一の止水空間を構成したことを特徴とする建具のシール構造。
【請求項２】
前記下枠アタッチメントの見付け方向の各側端部には、下面が前記防水床に接触するキャップ部材が装着されていることを特徴とする請求項１に記載の建具のシール構造。
【請求項３】
前記下框には、前記止水空間と室外側空間とを連通するエアー流路が形成されていることを特徴とする請求項１または２に記載の建具のシール構造。
【請求項４】
前記下枠アタッチメントは、前記下枠に着脱自在に取り付けられると共に、その上面が前記防水床に向かって前下りに傾斜していることを特徴とする請求項１、２または３に記載の建具のシール構造。
【請求項５】
前記第３シール部材は、前記下框に取り付けた下框側シール部材と前記下枠に取り付けた下枠側シール部材とから成り、
前記下框側シール部材と前記下枠側シール部材とは相互に密接していることを特徴とする請求項１、２または３に記載の建具のシール構造。
【請求項６】
請求項１ないし５のいずれかに記載の建具のシール構造を備えたことを特徴とする建具。
【発明の詳細な説明】
【０００１】
【発明の属する技術分野】
本発明は、浴室やシャワー室等のいわゆる水場の出入口に設けられる建具のシール構造およびこれを備えた建具に関する。
【０００２】
【従来の技術】
従来、この種の建具のシール構造として、例えば３枚引き戸に適用した特開２０００−３５２２７８号公報に記載のものが知られている。この３枚引き戸では、浴室床と脱衣室床とが幾分段差を有しており、浴室側に設けたスロープ材により段差を吸収するようにしている。下枠は、浴室床と脱衣室床とを跨ぐように配設した下枠本体と、下枠本体の上側に間隙を存して配設した下枠載材とから成り、この下枠載材の浴室側端部にスロープ材の基部が掛け止めされている。
各扉体と下枠載材との間にはシール部材が介設されており、このシール部材から漏れた排水は、下枠載材と下枠本体との間に構成した空間内に導かれるようになっている。また、この空間の浴室側開口部分には、弁形式の止水片が垂設されており、空間内に導かれた排水は、浴室側の排水が引いた後、止水片を通って浴室側に導かれるようになっている。
【０００３】
【発明が解決しようとする課題】
このような従来の建具のシール構造では、下枠載材と下枠本体との間に構成した空間が、高さ方向では浴室床と脱衣室床との間の段差に規制され、見込み方向では下枠の幅に規制されるため、内部容積を大きくすることに限界があった。このため、止水片の開閉弁動作により使用ずる空間内の圧力変動を、適切に吸収することができず、シール部材の密接部分が浮き上がって、かえってシール性が悪化する問題があった。
【０００４】
本発明は、排水の脈動的流れに対し、止水空間の圧力変動を吸収することができる建具のシール構造およびこれを備えた建具を提供することを目的とする。
【０００５】
【課題を解決するための手段】
本発明の建具のシール構造は、室内側の防水床の縁部に水密に着座する枠体の下枠と、下枠に対峙する扉体の下框との間をシールする建具のシール構造において、下枠の室内側前部に取り付けられ見込み方向前方に延在する下枠アタッチメントと、下枠アタッチメントの前端部と防水床との間に介設した第１シール部材と、下枠アタッチメントと下框の室内側前部との間に介設した第２シール部材と、下枠の室外側後部と下框の室外側後部との間に介設した第３シール部材とを備え、第１シール部材、第２シール部材および第３シール部材により、下枠アタッチメントの下側から下框の下側に亘って、単一の止水空間を構成したことを特徴とする。
【０００６】
この構成によれば、防水床を流れてきた排水が建具に達すると、第１シール部材により下枠アタッチメントの下側の止水空間への流入が阻止され、第２シール部材により下框の下側の止水空間への流入が阻止される。また、これら第１および第２シール部材から漏れた排水は止水空間に導かれるが、第３シール部材により室外側への漏れが阻止される。一方、止水空間に溜まった排水は、防水床側の排水が引けると、下枠アタッチメントの両側端における防水床との隙間から防水床の排水口側に流出する。
この場合、下枠アタッチメントの下側から下框の下側に亘って、単一の止水空間を構成するようにしているため、下枠アタッチメントを見込み方向前方に十分に延設することで、下枠の幅に関係なく、止水空間の内部容積を大きくすることができる。このため、建具に達する排水が脈動的に押し寄せても、止水空間内の圧力変動が減衰され易く、各シール部材の密接部分が、止水空間内の正圧で浮き上がるなどの支障を生ずることがない。
【０００７】
この場合、下枠アタッチメントの見付け方向の各側端部には、下面が防水床に接触するキャップ部材が装着されていることが、好ましい。
【０００８】
この構成によれば、キャップ部材により、下枠アタッチメントの両側端からの止水空間への排水の流入を極力阻止することができる。また、防水床側の排水が引いた後、止水空間内の排水の流出を許容することができる。
【０００９】
これらの場合、下框には、止水空間と室外側空間とを連通するエアー流路が形成されていることが、好ましい。
【００１０】
この構成によれば、建具に達する脈動的な排水により、止水空間内に圧力変動が生じても、この圧力変動をエアーの流れとして室外側空間に逃がすことができる。このため、止水空間と室外側空間とを常に同圧に保つことができ、圧力変動を適切に吸収することができ、各シール部材の浮き上がり等を有効に防止することができる。
【００１１】
これらの場合、下枠アタッチメントは、下枠に着脱自在に取り付けられると共に、その上面が防水床に向かって前下りに傾斜していることが、好ましい。
【００１２】
この構成によれば、下枠アタッチメントを、下枠と防水床との間のスロープ材として活用することができる。すなわち、室内側の防水床と室外側の床との間に適宜、段差を設けることができ、これによりシール性を向上させることができる。一方、下枠アタッチメントを見込み方向前方に長く伸ばせば、スロープを違和感の無い緩斜面とすることができ、且つ止水空間の内部容積を大きくすることができる。
【００１３】
これらの場合、第３シール部材は、下框に取り付けた下框側シール部材と下枠に取り付けた下枠側シール部材とから成り、下框側シール部材と下枠側シール部材とは相互に密接していることが、好ましい。
【００１４】
この構成によれば、相互に密接する下框側シール部材および下枠側シール部材により、第３シール部材を構成しているため、可とう性を有する部材同士を密接させるシール構造をとることができ、この部分のシール性を格段に向上させることができる。
【００１５】
本発明の建具は、請求項１ないし５のいずれかに記載の建具のシール構造を備えたことを特徴とする。
【００１６】
この構成によれば、建具を挟んで室内側の防水床と室外側の床との間にほとんど段差が無い場合でも、防水床側から押し寄せる排水を建具の部分で確実にシールすることができる。
【００１７】
【発明の実施の形態】
以下、添付図面を参照して、本発明の一実施形態に係る建具のシール構造およびこれを備えた建具を、浴室の出入口に設置した折戸を例に説明する。この浴室は、脱衣室との間を低段差としたバリアフリー設計のユニットバスで構成されており、浴室の防水パン（防水床）と、折戸の下枠と、脱衣室の木質床とは、僅かな段差となるように配設されている。
【００１８】
図１の縦断面図および図２の横断面図に示すように、折戸１は、枠体２と、枠体２に開閉自在に装着した扉体３とで構成され、また扉体３は、左扉体３ａと、右扉体３ｂと、これらを突き合わせた状態で中折れ自在に連結する連結部材４とで構成されている。この場合、扉体３は、右扉体３ｂの戸尻側を中心に、左扉体３ａを枠体２に沿ってスライドさせながら浴室Ａ内に折り込むことで開放され、また逆の手順で開放される。
【００１９】
枠体２は、それぞれアルミニウムの形材等で構成した上枠１１、下枠１２および両縦枠１３，１３を枠組みして成り、浴室Ａの開口部（出入口）に取り付けられている。上枠１１は、浴室Ａ側に形成し方形の上枠中空部１５と、上枠中空部１５の下端から脱衣室Ｂ側に水平に延びる上枠水平片１６と、上枠中空部１５から下垂した上ガイドレール１７と、上枠水平片１６から下垂した上枠シール取付部１８とで、一体に形成されている。そして、上枠シール取付部１８には、扉体３に向かって延びる上枠シール部材１９が取り付けられている。
【００２０】
同様に、下枠１２は、見込み方向の浴室Ａ側半部を幾分傾斜させた板状の下枠本体２１と、下枠本体２１の脱衣室Ｂ側端からクランク状に立ち上がって脱衣室Ｂ側に延びる下枠見切り片２２と、下枠本体２１の浴室Ａ側端から立ち上がる掛止め片２３と、下枠本体２１の見込み方向の中間位置に立設した下ガイドレール２４とで、一体に形成されている。下枠本体２１は、その下面に形成した一対の脚片により防水パンＰの縁部に着座し、且つこの一対の脚片の中間に形成したビスホールを兼ねる下垂片の部分で、コーキング材Ｃを介して防水パンＰに水密に接触している。下枠見切り部２２の立上げ部分には、内向きの下枠シール取付部２５が形成され、この下枠シール取付部２５には、扉体３に向かって延びる下枠シール部材（第３シール部材）２６が取り付けられている。
【００２１】
また、下枠１２の浴室Ａ側前部には、下枠１２から防水パンＰに向かって、前下がりのスロープを構成するように下枠アタッチメント２８が配設されている。下枠アタッチメント２８は、見付け方向において下枠１２に平行に且つほぼ同寸法に形成され、左右の両側端部に装着した一対のキャップ部材２９，２９を介して、下枠１２の掛止め片２３に掛け止めするようにして、設置されている。そして、下枠アタッチメント２８の前端部には、防水パンＰに密接するアタッチメントシール片（第１シール部材）３０が取り付けられている。
【００２２】
左右の各縦枠１３は、見込み方向に長い方形の縦枠中空部３２と、縦枠中空部３２から脱衣室Ｂ側に延びる縦枠見切り片３３と、縦枠中空部３２の浴室Ａ側に形成した縦枠シール取付部３４と、縦枠中空部３２の脱衣室Ｂ側から直角に延びるシール部材取付片３５とで、一体に形成されている。縦枠シール取付部３４には、扉体３に向かって延びる縦枠シール片３６が取り付けられ、またシール部材取付片３５には、複合シール部材３７が取り付けられている（詳細は後述する）。
【００２３】
一方、左右の各扉体３ａ，３ｂは、それぞれアルミニウムの形材等で構成した上框４１、下框４２および中桟４３に、縦框４４および連結縦框４５とを框組みすると共に、これに樹脂製の上下のパネル体４６，４６を嵌め込んで構成されている。この場合、扉体３全体として、左扉体３ａの縦框４４は回動且つスライドする戸先側の縦框を構成し、右扉体３ｂの縦框４４は回動する戸尻側の縦框を構成している。
【００２４】
中桟４３には、脱衣室Ｂ側に引手部４８が一体に形成され、浴室Ａ側に引手を兼ねるタオル掛け（左扉体のみ）４９が取り付けられている。左扉体３ａの連結縦框４５にはラッチ機構５０が組み込まれ、また右扉体３ｂの連結縦框４５には閉塞ロック機構５１が組み込まれている。さらに、各扉体３ａ，３ｂの縦框４４には、後述する上スライダ５５ａを上ガイドレール１７から離脱させる離脱機構５２が、それぞれ組み込まれている。
【００２５】
各扉体３ａ，３ｂの縦框４４には、上下のピンヒンジ（グラビティヒンジ）５４ａ，５４ｂを介して上スライダ５５ａおよび下スライダ５５ｂがそれぞれ取り付けられ、各扉体３ａ，３ｂはこの上スライダ５５ａおよび下スライダ５５ｂにより、上ガイドレール１７および下ガイドレール２４に、それぞれスライド自在に支持されている。ただし、右扉体３ｂの上下両スライダ５５ａ，５５ｂは、上下両ガイドレール１７，２４に固定されている。これにより、折戸（扉体３）１は、左扉体３ａと右扉体３ｂとが枠体２の幅いっぱいに横に並んだ閉扉位置と、左扉体３ａに右扉体３ｂを重ねるように折り畳んだ開扉位置との間で、開閉される。
【００２６】
一方、各扉体３ａ，３ｂの下框４２は、上下に仕切られた下框中空部５７と、下框中空部５７の上側に形成した上下２段の換気ガラリを形成したガラリ形成部５８とを有して、一体に形成されている。浴室Ａと脱衣室Ｂとは、この上下２段の換気ガラリにより連通しており、図示しないが、ガラリ形成部５８に組み込んだダンパーにより、換気ガラリを開閉できるようになっている。
【００２７】
下框中空部５７を構成する下框の浴室側壁６０と脱衣室側壁６１とは、それぞれ下枠中空部５７を越えて下方に延在しており、このうち浴室側壁６０の浴室側下垂片６０ａの下端部には、浴室側シール片（第２シール部材）６２が取り付けられ、脱衣室側壁６１の脱衣室側下垂片６１ａの下端部には、脱衣室側シール片（第３シール部材）６３が取り付けられている。そして、浴室側シール片６２は、上記の下枠アタッチメント２８に密接し、脱衣室側シール片６３は上記の下枠シール部材２６に密接している（詳細は後述する）。
【００２８】
ここで、各部のシール構造について詳細に説明する。図３は、下枠１２と下框４２との間のシール構造を、拡大して表している。同図に示すように、下枠１２の脱衣室Ｂ側に形成した下枠シール取付部２５には、略逆「Ｖ」字状に折れ曲がった先端二股形状の下枠シール部材（第３シール部材：下枠側シール部材）２６が取り付けられている。またこれに対応して、下框４２の脱衣室側下垂片６１ａに形成したあり溝状の外向きシール取付部６５には、鉛直姿勢の脱衣室側シール片（第３シール部材：下框側シール部材）６３が取り付けられている。そして、下枠シール部材２６の先端部と脱衣室側シール片６３の先端部とが、相互に密接している。すなわち、この部分は、シール性を向上すべく、軟質のシール部材同士が密接するシール構造になっている。
【００２９】
また、下框４２の浴室側下垂片６０ａに形成した円形溝状の内向きシール取付部６６には、浴室Ａ側に傾斜した浴室側シール片（第２シール部材）６２が取り付けられており、この浴室側シール片６２の先端部は、下枠アタッチメント２８の脱衣室Ｂ側後端部に密接している。さらに、下枠アタッチメント２８の浴室Ａ側前端部には、円形溝状の下向きシール取付部６７が形成され、この下向きシール取付部６７には、内向き姿勢のアタッチメントシール片（第１シール部材）３０が取り付けられている。そして、このアタッチメントシール片３０の先端部は、防水パンＰの上面に密接している。
【００３０】
一方、図４に示すように、左扉体３ａと右扉体３ｂの連結部分には、浴室Ａ側に２つの浴室側中間シール片７０，７０が設けられ、脱衣室Ｂ側に、脱衣室側中間シール片７１が設けられている。左右両扉体３ａ，３ｂの連結部分には、浴室Ａ側に位置して上記のラッチ機構５０を上げ下げするカム機構７２が設けられており、扉体３の開放時にラッチ機構５０を上動させ、これが防水パンＰに干渉しないようにしている。カム機構５０は、右扉体３ｂに添設した固定カム部材７３ａと、左扉体３ａに添設した可動カム部材７３ｂとで構成され、両カム部材７３ａ，７３ｂのカム斜面により、扉体３を閉塞したときに、可動カム部材７３ｂを介してラッチ機構５０を機能位置に下動させるようにしている。
【００３１】
そして、この両カム部材７３ａ，７３ｂには、それぞれ下垂するように浴室側中間シール片７０，７０が取り付けられている。扉体３の閉塞時には、両浴室側中間シール片７０，７０は、その一方の端部が左右両扉体３ａ，３ｂの浴室側シール片６２，６２とそれぞれ重なるようにして密接し、且つ他方の端部同士が重なるように密接する。すなわち、２つの浴室側中間シール片７０，７０とその両側に位置する２つの浴室側シール片６２，６２により、見付け方向に連続する浴室Ａ側のシールラインが構成され、これらは下枠アタッチメント２８に密接している。
【００３２】
また、左扉体３ａと右扉体３ｂの連結部分には、ヒンジを兼ねる連結部材４が設けられており、この連結部材４の脱衣室側に脱衣室側中間シール片７１が取り付けられている。脱衣室側中間シール片７１は、連結部材４に垂設されており、脱衣室側シール片６３と同様の断面形状を有して短尺に形成されている。この場合、脱衣室側中間シール片７１は、左右の両扉体３ａ，３ｂが閉塞したときに、その両端にそれぞれ脱衣室側シール片６３，６３が端面接触する。したがって、脱衣室側中間シール片７１と両脱衣室側シール片６３，６３とは、見付け方向に段部を生ずることなく連続し、これらに下枠シール部材２６が密接する。すなわち、脱衣室側中間シール片７１、両脱衣室側シール片６３，６３および下枠シール部材２６により、脱衣室Ｂ側のシールラインが構成されている。
【００３３】
一方、図３に示すように、下枠アタッチメント２８の各側端部に装着した各キャップ部材２９は、その上面および前面が下枠アタッチメント２８と面一になるように形成され、且つ後面が下枠１２の掛止め片２３と、下面が防水パンＰとそれぞれ全面接触するように形成されている。すなわち、各キャップ部材２９は、その内側にアタッチメントシール片３０の外端に接触した状態で、下枠アタッチメント２８の各側端部を閉塞している。これにより、下枠アタッチメント２８の下側への排水の急激な流入は阻止されるが、キャップ部材２９と防水パンＰとの微小な隙間等から、排水の緩やかな流出入は許容される。
【００３４】
このように、アタッチメントシール片３０、浴室側シール片６２、脱衣室側シール片６３および下枠シール部材２６により、下枠アタッチメント２８および下框４２の下側に、浴室Ａ側の排水が直接流入しないように構成した止水空間７５が形成されている。より具体的には、各シール片３０，６２，６３および各シール部材２６と、下枠アタッチメント２８および下框４２と、下枠本体２１および防水パンＰの縁部とで囲まれた（見付け方向の両端部は省略）空間に止水空間７５が構成されている。
【００３５】
この場合、止水空間７５には、例えばアタッチメントシール片２８や浴室側シール片６２から漏れた排水が流入するが、防水パンＰ上の排水が引けた後は、止水空間７５の排水は、キャップ部材２９の隙間などから防水パンＰ上に流出する。このため、下枠１２の掛止め片２３には、下枠本体２１上に溜まった排水を防水パンＰ上（下枠アタッチメント２８の下側位置）に流出させる排水開口７６が、その見付け方向に複数形成されている。
【００３６】
このように、下框４２と下枠１２との間隙のみならず、下枠アタッチメント２８と防水パンＰとの間隙を、一体として止水空間７５としているため、例えば浴槽の溢れなど伴う脈動的な排水がこの下枠１２部分に押し寄せてきても、止水空間７５内の圧力変動が吸収され、各シール片２６，３０，６２，６３の浮き上がり等が抑制される。
【００３７】
また、この実施形態では、上記の止水空間７５内の圧力変動を良好に吸収すべく、止水空間７５と脱衣室Ｂ内とを連通するエアー流路７７が形成されている。すなわち、下框中空部５１を構成する下壁には第１エアー抜き孔７８が形成され（見付け方向に複数）、同様に下框中空部５７を構成する脱衣室側壁６１には第２エアー抜き孔７９が形成され（見付け方向に複数）ていて、下框４２における浴室側および脱衣室側下垂片６０ａ，６１ａ間の空間、第１エアー抜き孔７８、下框中空部５７の下部空間および第２エアー抜き孔７９により、エアー流路７７が構成されている。
【００３８】
このように、エアー流路７７を介して止水空間７５と脱衣室Ｂ内とを連通させることで、止水空間７５内の圧力変動に伴って止水空間７５のエアーが適宜流出入し、止水空間７５と脱衣室Ｂとを常に同圧にしておくことができる。すなわち、止水空間７５内の圧力変動が確実に吸収され、正圧による各シール片３０，６２，６３やシール部材２６の浮き上がりを防止することができる。
【００３９】
次に、図５を参照して、縦枠１３廻りのシール構造について説明する。同図に示すように、扉体３の戸尻側の縦框４４とこれに対峙する縦枠１３との間には、浴室Ａ側に位置して上記の縦枠シール片３６が介設され、脱衣室Ｂ側に位置して複合シール部材３７が介設されている。また、縦框４４の中空内部には、上下両ヒンジピン５４ａ，５４ｂと上下両スライダ５５ａ，５５ｂが組み込まれており、縦框４４の外周面４４ａは、上下両ヒンジピン５４ａ，５４ｂと同心円となる半円状の円弧部分を有している。そして、縦枠シール取付部３４に装着した縦枠シール片３６、およびシール部材取付片３５に装着した複合シール部材３７は、いずれも縦框４４の円弧部分に水密に摺接するようになっている。
【００４０】
複合シール部材３７は、縦枠１３のシール部材取付片３５に固定される支持基部８１と、支持基部８１から延び縦框４４に見込み方向２箇所で密接する２つのシール片部８２，８２と、支持基部８１から延び縦框４４に密接すると共に、２つのシール片部８２，８２間に配設したスポンジ状シール部８３とを備えている。支持基部８１と２つのシール片部８２，８２とは、支持基部８１を硬質樹脂とし２つのシール片部８２，８２を軟質樹脂として、複合押出し成形により一体に形成されている。
【００４１】
スポンジ状シール部８３は、ウレタンなどの発泡体で構成され、両側に接触する２つのシール片部８２，８２に挟み込まれるようにして、その背面側で支持基部８１に接着されている。また、スポンジ状シール部８３は短尺に形成され、縦枠１３および縦框４４の下端部間にのみ配設されている。すなわち、２つのシール片部８２，８２は、縦枠（縦框４４）１３の長手方向のほぼ全長に亘って延在しているが、スポンジ状シール部８３は、縦枠（縦框４４）１３は下から１００ｍｍ程度の高さまでとなっている。各シール片部８２の先端は、スポンジ状シール部８３の前端から僅かに突出しており、スポンジ状シール部８３の前端面は平坦に形成され、縦框４４の外周面４４ａに倣って円弧状に窪むようになっている。
【００４２】
一方、支持基部８１の背面側には、脱衣室Ｂ側に位置する掛止め突起８１ａと、浴室Ａ側に位置する係止突起８１ｂとが一体に形成されている。また、これに対応して、縦枠１３のシール部材取付片３５には、脱衣室Ｂ側に位置する掛止め片部３５ａと、浴室Ａ側に位置する係止片部３５ｂとが一体に形成されている。複合シール部材３７は、その掛止め突起８１ａを掛止め片部３５ａに掛け止めした状態で、係止片部３５ｂに係止突起８１ｂを押し込むようにして、縦枠１３に装着されている。すなわち、複合シール部材３７は押縁形式で縦枠１３に装着され、この状態でその支持基部８１は、円弧状の縦框４４に対し接線方向に向くようになっている。
【００４３】
このように、複合シール部材３７を用いることにより、縦框４４との接触面積を極端に大きくすることができるため、特にシール性を強化する必要のある縦枠１３と縦框４４との下端部間を、確実にシールすることができる。また、スポンジ状シール部８３は短尺形成されているため、縦框４４に対する摺動抵抗を小さくすることができ、扉体３の円滑な開閉操作性を損なうことがない。また、複合シール部材３７は、押縁形式により、縦枠１３に対し簡単に取り付けるができ且つ簡単に交換することができる。なお、説明は省略するが、扉体３の戸先側の縦框４４および縦枠１３間においても、同様のシール構造となっている（図２参照）。
【００４４】
次に、図６および図７を参照して、下枠１２廻りのシール構造における第１および第２の変形例について説明する。図６に示すように、第１変形例のシール構造では、下枠１２の下枠シール取付部２５に取り付けた下枠シール部材８５が、浴室Ａ側に倒れ込んだ断面形状となっている。なお、この変形例は、下枠アタッチメント２８の有無を問うものではない。
【００４５】
下枠シール部材８５は、下枠シール取付部２５に装着される装着部８５ａと、装着部８５ａから浴室Ａ側に延びるシール基部８５ｂと、シール基部８５ｂの上端から浴室Ａ側に倒れ込むように斜めに延びるシール片部８５ｃとで、一体に形成されている。自由状態のシール片部８５ｃは、下枠見切り片２２とほぼ同一高さとなっており、扉体３の閉塞に伴って、脱衣室側シール片６３により起立するように折り曲げられて、これに密接する。このような構成では、扉体３を開放した出入り時に、ユーザが下枠シール部材８５を踏んでも、違和感を生ずることがなく、且つ下枠シール部材８５の寿命を伸ばすことができる。しかも、シール性が損なわれることもない。
【００４６】
図７に示すように、第２変形例のシール構造では、浴室側シール片８７が下框４２の内向きシール取付部６６に対し、所定の角度範囲で回動自在に装着されている。浴室側シール片８７は、複合押出し成形により、円形断面の取付基部８７ａと、取付基部８７ａから延びるシール片８７ｂとで一体に形成されている。一方、円形溝状の内向きシール取付部６６は、その内周面が取付基部８７ａより僅かに（水密性を損なわない程度）太径に形成され、その開口部分で浴室側シール片８７の見込み方向の回動範囲を規制している。
【００４７】
すなわち、浴室側シール片８７は、扉体３を開放するときには、防水パンＰに接触して脱衣室Ｂ側に傾くように回動し、閉塞する時には浴室Ａ側に傾くように回動する。これにより、扉体３の開閉に際し、浴室側シール片８７の先端が防水パンＰに触れることがあっても、防水パンＰを傷つけたり、扉体３の開閉の抵抗となることがない。
【００４８】
次に、本発明の第２実施形態に係る浴室ドアについて説明する。図８の縦断面図および図９の横断面図に示すように、この浴室ドア１０１は、枠体１０２と扉体１０３とで構成されている。枠体１０２は、上枠１１１、下枠１１２および両縦枠１１３，１１３を枠組みして構成され、扉体１０３は、上框１１５、下框１１６、戸先縦框１１７および戸尻縦框１１８を框組し、これにパネル体１１９を嵌め込んで構成されている。
【００４９】
上枠１１１は、浴室Ａ側に形成し上枠中空部１２１と、上枠中空部１２１の下端から脱衣室Ｂ側に延びる上枠水平片１２２と、上枠水平片１２２から下垂した上枠シール取付部１２３と、上枠水平片１２２の上枠中空部１２１側端に形成したヒンジ部材取付部１２４とで、一体に形成されている。そして、上枠シール取付部１２３には、扉体１０３に向かって延びる上枠シール部材１２５が取り付けられており、ヒンジ部材取付部１２４には、上ヒンジピン１２６を固定したヒンジ部材１２７が取り付けられている。
【００５０】
下枠１１２は、見込み方向の浴室Ａ側半部を幾分傾斜させた下枠本体１３０と、下枠本体１３０の脱衣室Ｂ側端から立ち上がって脱衣室Ｂ側に延びる下枠見切り片１３１と、下枠本体１３０の浴室Ａ側端から立ち上がる掛止め片１３２と、下枠本体１３０の見込み方向の中間位置に立設した載置片１３３とで、一体に形成されている。下枠本体１３０は、上記の折戸１の場合と同様に、防水パンＰに水密に着座している。また、下枠見切り部１３１の立上げ部分に形成した下枠シール取付部１３４には、下枠シール部材（第３シール部材）１３５が取り付けられている。
【００５１】
下枠１１２の浴室Ａ側前部には、前下がりのスロープを構成する下枠アタッチメント１３７が配設されており、下枠アタッチメント１３７の左右の両側端部には、一対のキャップ部材１３８，１３８が装着されている。下枠アタッチメント１３７は、脱衣室Ｂ側を載置片１３３に載置した状態で、一対のキャップ部材１３８，１３８により、掛止め片１３２に掛け止めするようにして、設置されている。そして、下枠アタッチメント１３７の前端部には、防水パンＰに密接するアタッチメントシール片（第１シール部材）１３９が取り付けられている。
【００５２】
左右の各縦枠１１３は、縦枠中空部１４１と、縦枠中空部１４１から脱衣室Ｂ側に延びる縦枠見切り片１４２と、縦枠中空部１４１の浴室Ａ側に形成した縦枠シール取付部１４３と、縦枠中空部１４１の脱衣室Ｂ側に形成したシール部材取付片１４４とで、一体に形成されている。縦枠シール取付部１４３には、浴室側縦枠シール片１４５が取り付けられ、またシール部材取付片１４４には、脱衣室側縦枠シール片１４６が取り付けられている（詳細は後述する）。
【００５３】
一方、扉体１０３の戸先縦框１１７には、浴室Ａ側見付け面に内ハンドル１４８が取り付けられ、脱衣室Ｂ側見付け面に外ハンドル１４９が取り付けられている。戸先縦框１１７の中空内部には、内外両ハンドル１４８，１４９によって操作されるドア錠１５０が組み込まれている。また、戸先縦框１１７の先端部には円形断面のシール片取付部１５１が形成されており、シール片取付部１５１には、縦枠１１３に密接する浴室側縦框シール片１５２が取り付けられている。
【００５４】
戸尻縦框１１８は、上端部に、上記の上ヒンジピン１２６を受ける上ヒンジブロック１５４が組み込まれ、下端部に、下枠１１２に取り付けた下ヒンジピン１５５を受ける下ヒンジブロック１５６が組み込まれている。また、戸尻縦框１１８の上端部には、上ヒンジブロック１５４を下動させて上ヒンジピン１２６から離脱させる離脱機構１５７が、組み込まれている。また、戸尻縦框１１８の外端にはシール片取付部１５８が形成され、このシール片取付部１５８には縦框シール片１５９が取り付けられている。
【００５５】
下框１１６は、下框中空部１６０と、下框中空部１６０の上側に形成した上下２段の換気ガラリを形成したガラリ形成部１６１とを有して、一体に形成されている。下框中空部１６０を構成する下框１１６の浴室側壁１６２と脱衣室側壁１６３とは、それぞれ下枠中空部１６０を越えて下方に延在しており、このうち浴室側壁１６２の浴室側下垂片１６２ａの下端部には、浴室側シール片（第２シール部材）１６４が取り付けられ、脱衣室側壁１６３の脱衣室側下垂片１６３ａの下端部には、脱衣室側シール片（第３シール部材）１６５が取り付けられている。そして、浴室側シール片１６４は、下枠アタッチメント１３７の見込み方向中間部分に密接し、脱衣室側シール片１６５は下枠シール部材１３５に密接している（詳細は後述する）。
【００５６】
ここで、各部のシール構造について詳細に説明する。図１０は、下枠１１２と下框１１６との間のシール構造を、拡大して表している。同図に示すように、下枠１１２の下枠シール取付部１３４には、下枠シール部材（第３シール部材：下枠側シール部材）１３５が取り付けられている。またこれに対応して、下框１１６の脱衣室側下垂片１６３ａの下向きシール取付部１６８には、幾分脱衣室Ｂ側に傾いた脱衣室側シール片（第３シール部材：下框側シール部材）１６５が取り付けられている。そして、下枠シール部材１３５の先端部と脱衣室側シール片１６５の先端部とが、相互に密接している。
【００５７】
また、下框１１６の浴室側下垂片１６２ａの下向きシール取付部１６９には、幾分浴室Ａ側に傾いた浴室側シール片（第２シール部材）１６４が取り付けられており、この浴室側シール片１６４の先端部は、下枠アタッチメント１３７に密接している。さらに、下枠アタッチメント１３７の下向きシール取付部１７０には、内向き姿勢のアタッチメントシール片（第１シール部材）１３９が取り付けられており、このアタッチメントシール片１３９の先端部は、防水パンＰの上面に密接している。
【００５８】
第１実施形態と同様に、下枠アタッチメント１３７の各側端部に装着した各キャップ部材１３８は、その内側にアタッチメントシール片１３９の外端に接触した状態で、下枠アタッチメント１３７の各側端部を閉塞している。すなわち、下枠アタッチメント１３７の下側への排水の急激な流入は阻止されるが、キャップ部材１３８と防水パンＰとの微小な隙間等から、排水の緩やかな流出入は許容されるようになっている。
【００５９】
このように、アタッチメントシール片１３９、浴室側シール片１６４、脱衣室側シール片１６５および下枠シール部材１３５により、下枠アタッチメント１３７および下框１１６の下側に、浴室Ａ側の排水が直接流入しないように構成した止水空間１７２が形成されている。そして、止水空間１７２には、例えばアタッチメントシール片１３９や浴室側シール片１６４から漏れた排水が流入するが、防水パンＰ上の排水が引けた後は、止水空間１７２の排水は、キャップ部材１３８の隙間などから防水パンＰ上に流出する。このため、下枠１１２の掛止め片１３２には、下枠本体１３０上に溜まった排水を防水パンＰ上に流出させる排水開口１７３が、その見付け方向に複数形成されている。
【００６０】
また、この実施形態でも、上記の止水空間１７２内の圧力変動を良好に吸収すべく、止水空間１７２と脱衣室Ｂ内とを連通するエアー流路１７５が形成されている。すなわち、下框中空部１６０を構成する下壁には第１エアー抜き孔１７６が形成され（見付け方向に複数）、下框中空部１６０を構成する脱衣室側壁１６３には第２エアー抜き孔１７７が形成され（見付け方向に複数）、さらに一体化した浴室側シール片１６４と脱衣室側シール片１６５との連結板部分には第３エアー抜き孔１７８が形成され（見付け方向に複数）ていて、下框１１６における浴室側および脱衣室側下垂片１６２ａ，１６３ａ間の空間、下框中空部１６０の空間およびこれら第１〜第３エアー抜き孔１７６，１７７，１７８により、エアー流路１７５が形成されている。
【００６１】
次に、図１１を参照して、戸尻縦框１１８と縦枠１１３との間のシール構造について説明する。同図に示すように、扉体１０３の戸尻縦框１１８とこれに対峙する縦枠１１３との間には、浴室Ａ側に位置して上記の浴室側縦枠シール片１４５が介設され、脱衣室Ｂ側に位置して脱衣室側縦枠シール片１４６が介設され、更に両シール片１４５，１４６の中間位置に縦框シール片１５９が介設されている。また、戸尻縦框１１８の中空内部の上下両ヒンジブロック１５４，１５６には、それぞれ浴室Ａ側に偏心するように設けた上下両ヒンジピン１２６，１５５が臨んでいる。
【００６２】
この場合、戸尻縦框１１８の外周面は隅部が円弧状に形成されており、浴室Ａ側の円弧状部分には、縦枠シール取付部１４３に装着した浴室側縦枠シール片１４５が密接し、脱衣室Ｂ側の円弧状部分には、シール部材取付片１４４に装着した脱衣室側縦枠シール片１４６が密接している。そして、戸尻縦框１１８の端面部分に形成したシール片取付部１５８に、縦枠１１３に密接する縦框シール片１５９が取り付けられている。
【００６３】
また、戸尻縦框１１８の外周面のうち、浴室Ａ側の円弧状部分は、上下両ヒンジピン１２６，１５５と同心円上に位置しており、扉体１０２の開閉に際し、浴室側縦枠シール片１４５は常にこの円弧状部分に摺接する。一方、脱衣室Ｂ側の円弧状部分は偏心しており、脱衣室側縦枠シール片１４６は、扉体１０３閉塞時（および閉塞動作終期）のみ、この円弧状部分に摺接する。
【００６４】
なお、上記のシール片取付部１５８は、戸尻縦框１１８の端面から僅かに突出しており、浴室側縦枠シール片１４５の先端部は、この突出部分と円弧部分との間の段部に密接するようになっている。これにより、浴室側縦枠シール片１４５の先端部は位置規制され、戸尻縦框１１８の外周面に安定に密接する。脱衣室側縦枠シール片１４６は、「く」字状に折れ曲がっており、広い接触面積をもって戸尻縦框１１８の外周面に安定に密接している。このように、縦枠１１３と戸尻縦框１１８の間隙が見込み方向の３箇所でシールされているため、この部分のシール性を格段に向上させることができる。なお、脱衣室側縦枠シール片１４６に代えて、この部分に第１実施形態の複合シール部材３７を設けるようにしてもよい。
【００６５】
なお、本実施形態では、建具として折戸および浴室ドアについて説明したが、子扉体を有する親子扉形式の折戸および浴室ドアにも適用することができる。また、本発明は、浴室の他、シャワー室などのいわゆる水場に適用できることは、いうまでもない。
【００６６】
【発明の効果】
以上のように本発明の建具のシール構造およびこれを備えた建具によれば、下枠アタッチメントの下側から下框の下側に亘って単一の止水空間を構成するようにしているので、止水空間の内部容積を大きくすることができ、止水空間内の圧力変動を極力押えることができる。したがって、止水空間内の圧力変動による各シール部材の浮き上がりなどを抑制することができ、全体としてシール性を向上させることができる。
【図面の簡単な説明】
【図１】本発明の一実施形態に係る折戸の閉塞状態の縦断面図である。
【図２】実施形態に係る折戸の閉塞状態の横断面図である。
【図３】実施形態に係る折戸の下枠廻りのシール構造を示す拡大縦断面図である。
【図４】実施形態に係る折戸の連結部材廻りの斜視図である。
【図５】実施形態に係る折戸の縦枠廻りのシール構造を示す拡大横断面図である。
【図６】折戸の下枠廻りのシール構造における第１変形例の拡大縦断面図である。
【図７】折戸の下枠廻りのシール構造における第２変形例の拡大縦断面図である。
【図８】本発明の第２実施形態に係る浴室ドアの閉塞状態の縦断面図である。
【図９】第２実施形態に係る浴室ドアの閉塞状態の横断面図である。
【図１０】第２実施形態に係る浴室ドアの下枠廻りのシール構造を示す拡大縦断面図である。
【図１１】第２実施形態に係る浴室ドアの縦枠廻りのシール構造を示す拡大横断面図である。
【符号の説明】
１  折戸、２  枠体、３  扉体、３ａ  左扉体、３ｂ  右扉体、４  連結部材、１２  下枠、２６  下枠シール部材、２８  下枠アタッチメント、２９  キャップ部材、３０  アタッチメントシール片、４２  下框、浴室側シール片、６３脱衣室側シール片、７５  止水空間、７７  エアー流路、７８  第１エアー抜き孔、７９  第２エアー抜き孔、１０１  浴室ドア、１０２  枠体、１０３  扉体、１１２  下枠、１１６  下框、１３５  下枠シール部材、１３７  下枠アタッチメント、１３８  キャップ部材、１３９  アタッチメントシール片、１６４浴室側シール片、１６５  脱衣室側シール片、１７２  止水空間、１７５  エアー流路、１７６  第１エアー抜き孔、１７７  第２エアー抜き孔、Ａ  浴室、Ｂ  脱衣室、Ｐ  防水パン
【図１】
0003554712.tif 000002
【図２】
0003554712.tif 000003
【図３】
0003554712.tif 000004
【図４】
0003554712.tif 000005
【図５】
0003554712.tif 000006
【図６】
0003554712.tif 000007
【図７】
0003554712.tif 000008
【図８】
0003554712.tif 000009
【図９】
0003554712.tif 000010
【図１０】
0003554712.tif 000011
【図１１】
0003554712.tif 000012